(57)【特許請求の範囲】
【請求項１】
プラントあるいは機器・配管等を操作，監視する監視机において、前記監視机の天板の裏面にダクトフレーム、補強フレーム及び固定フレームが組み込まれる仕切り空間を設けると共に、前記ダクトフレームは上面が開口した断面Ｕ字状をなし、このダクトフレームの側面には前記固定フレームを配置し、前記ダクトフレームと前記固定フレームとを前記補強フレームで固定して一体構造とし、さらに前記固定フレームを前記天板に結合したことを特徴とする監視机。
【請求項２】
プラントあるいは機器・配管等を操作，監視する監視机において、前記監視机の天板の裏面にダクトフレーム、補強フレーム及び固定フレームが組み込まれる仕切り空間を設けると共に、前記ダクトフレームは上面が開口した断面Ｕ字状をなし、このダクトフレームの側面には取り付け孔を有する断面中空円柱又は中空多角柱の固定フレームを配置し、前記ダクトフレームと前記固定フレームとを前記補強フレームで固定して一体構造とし、さらに前記固定フレームの取り付け孔を前記天板の裏面のねじ穴にねじ止めしたことを特徴とする監視机。
【請求項３】
プラントあるいは機器・配管等を操作，監視する監視机において、前記監視机の天板の裏面にダクトフレーム及び固定具が収納する固定溝を形成した仕切り空間を設けると共に、前記ダクトフレームは上面が開口した断面Ｕ字状をなし、このダクトフレームの側面には断面中空円柱又は中空多角柱の固定具を配置し、前記ダクトフレームと前記固定具とを締付け間隔調整可能な締付具若しくはバネ機構や形状記憶合金等の復元力のある復元部材から成る締付装置により連結し、天板の裏面に設けた前記固定溝に断面中空円柱又は中空多角柱の前記固定具を載置し、前記締付装置により締付けて前記ダクトフレームを前記天板に固定又は取り外し可能に取り付けたことを特徴とする監視机。
【発明の詳細な説明】
【０００１】
【産業上の利用分野】
本発明は一般産業等で監視・制御の中心となる監視机に関する。
【０００２】
【従来の技術】
近年、一般産業等のプラントあるいは機器・配管等の監視・制御の中心となる監視机は、人間工学に基いた形状に加え、居住性の面からも監視机の設置される中央操作室の室内デザインに関連した先進的なデザインのものが多く用いられるようになってきた。
【０００３】
このような監視机は、図９に示すように、本体６と、体裁向上のためのＣＲＴカバー５と、天板１ｂ，１ｃと、支柱２８等から構成されている。カバー５の中には運転・監視に必要なタッチスクリーン機能を有するＣＲＴ表示装置２９（以下、ＣＲＴという）が収納され、前方の天板１ｃにはＣＲＴ２９等に制御信号を入力するためのキーボード７が上乗せあるいは埋め込みにより配置されている。また、左右の天板１ｂはオペレータの補助的作業のための端末機器等を配置したり、オペレータの筆記作業やオペレータ同士の打ち合せに使用する等多目的スペースとして必要不可欠なものとなっている。また支柱２８は天板１ｂの端部に位置し、ネジ等により天板１ｂに固定されている。
【０００４】
【発明が解決しようとする課題】
ところで、オペレータの補助的作業スペース及び打ち合せ等の多目的なスペース確保のため、天板１ｂの巾（寸法Ａ）方向は必要最大限まで大きくなっている。また先進的デザインと人的圧迫感の軽減及びオペレータの移動に邪魔にならないように、天板１ｂを支える支柱２８の数も必要最小限まで少なくして本体６と支柱２８間隔（寸法Ｂ）を大きくしているのが実状である。そのため外力による天板１ｂの撓みや捩じれ等が発生しやすくなり、その防止策として天板１ｂの厚み（寸法Ｃ）を大きくしていたが、人間工学に基いた形状確保のためむやみに天板１ｂの厚さだけを大きくするだけでは強度的に限界がある。
【０００５】
また、図１０の天板の断面図に示すように、当然の如く天板１ｂの下に配線用のダクトフレーム２ｂをネジ２５等で固定しているので幅方向のスパンが長くなり、天板１ｂへのネジ２５等による固定位置が奥行方向でセンターに近くなり、天板１ｂ上に配置するＣＲＴ等の端末機器２９の重量や位置によっては、天板１ｂの撓みや捩じれが発生して傾く恐れがあった。さらに、補強を兼ねたダクトフレーム２ｂは前後方向の巾も広くとって非常に大きくかつ厚くて重い重量物であるので、外観上や取付メンテナンスもやりずらくなっていた。
【０００６】
また、ダクトフレーム２ｂは本体側からの制御用電線等の配線作業時には、図１１の如く作業員５０が天板１ｂの下部にもぐり込んだ状態で上部を見上げての作業となるため作業性が悪いことに加え、肉体的疲労も大きく、安全上、作業上も不安定な環境の原因となっていた。また、天板１ｂをはずす場合、天板１ｂとダクトフレーム２ｂを固定しているネジ２５をはずす必要があり、上向き作業に加え電線が邪魔する等非常に作業性が悪かった。
【０００７】
さらに、図１２に示すように多目的スペースに配置されるＣＲＴ２９から出る電源接続用のケーブル３０等はむき出しの状態になることがあり、監視机の先進的なデザインと釣合わず見た目にも非常に体裁の悪いものであった。さらにまた、ＣＲＴ２９が発生する熱が筆記作業や打ち合せ等の能率を著しく低下させるばかりでなく、ＣＲＴ等の端末機器の温度上昇による寿命の低下の原因に繋がる恐れがあった。
【０００８】
本発明は上記事情に鑑みてなされたもので、その目的は、天板の変形を防止すると共に天板の取り付け、取り外しおよび配線作業が容易に行うことができ、さらに、オペレータの作業能率向上を図り、意匠的にも優れた監視机を提供することにある。
【０００９】
【課題を解決するための手段】
上記目的を達成するために、本発明の請求項１は、プラントあるいは機器・配管等を操作，監視する監視机において、前記監視机の天板の裏面にダクトフレーム、補強フレーム及び固定フレームが組み込まれる仕切り空間を設けると共に、前記ダクトフレームは上面が開口した断面Ｕ字状をなし、このダクトフレームの側面には前記固定フレームを配置し、前記ダクトフレームと前記固定フレームとを前記補強フレームで固定して一体構造とし、さらに前記固定フレームを前記天板に結合したことを特徴とする。
【００１０】
本発明の請求項２は、プラントあるいは機器・配管等を操作，監視する監視机において、前記監視机の天板の裏面にダクトフレーム、補強フレーム及び固定フレームが組み込まれる仕切り空間を設けると共に、前記ダクトフレームは上面が開口した断面Ｕ字状をなし、このダクトフレームの側面には取り付け孔を有する断面中空円柱又は中空多角柱の固定フレームを配置し、前記ダクトフレームと前記固定フレームとを前記補強フレームで固定して一体構造とし、さらに前記固定フレームの取り付け孔を前記天板の裏面のねじ穴にねじ止めしたことを特徴とする。
【００１１】
本発明の請求項３は、プラントあるいは機器・配管等を操作，監視する監視机において、前記監視机の天板の裏面にダクトフレーム及び固定具が収納する固定溝を形成した仕切り空間を設けると共に、前記ダクトフレームは上面が開口した断面Ｕ字状をなし、このダクトフレームの側面には断面中空円柱又は中空多角柱の固定具を配置し、前記ダクトフレームと前記固定具とを締付け間隔調整可能な締付具若しくはバネ機構や形状記憶合金等の復元力のある復元部材から成る締付装置により連結し、天板の裏面に設けた前記固定溝に断面中空円柱又は中空多角柱の前記固定具を載置し、前記締付装置により締付けて前記ダクトフレームを前記天板に固定又は取り外し可能に取り付けたことを特徴とする。
【００１２】
【作用】
本発明の請求項１は、ダクトフレームと補強フレームと固定フレームを一体構成とし、固定フレームを方向性に左右されない形状にしたので、機械的強度を増すことができる。また強度向上に伴い天板の厚さも薄くできるため意匠への配慮が可能となる。さらに、天板をはずしてメンテナンスできるようにしたので、上方向からのメンテナンスが可能となる。
【００１３】
本発明の請求項２は、天板との固定方法を締付具を介して行えるようにしたので、天板の取り付け・取り外しの作業性が良くなり、また天板取り付け時には天板と固定具が密着するようにしたので、ガタ付きのない固定が可能となる。さらに天板を外してメンテナンスできるようにしたので、上方向からのメンテナンスが可能となる。
【００１４】
本発明の請求項３は、天板との固定方法を復元力のある締付部材を介して行えるようにしたので、天板の取り付け・取り外しの作業性が良くなり、また天板取り付け時には天板と固定具が密着するようにしたので、ガタ付きのない固定が可能となる。さらに天板を外してメンテナンスできるようにしたので、上方向からのメンテナンスが可能となる。
【００１５】
【実施例】
以下、本発明の実施例を図を参照して説明する。
図１は本発明の第１実施例（請求項１及び請求項２対応）の天板とダクトフレーム部分の分解斜視図、図２は図１の天板とダクトフレームの組立て状態の断面図、図３は図１の配線作業時を示す図である。
同図に示すように、本実施例の監視机は、主として天板１，ダクトフレーム２，補強フレーム３，固定フレーム４，支柱２８とから構成されている。
【００１６】
まず、天板１にはダクトフレーム２，補強フレーム３，固定フレーム４を埋設するための溝１９などの仕切り空間が設けられている。このような仕切り空間をなす溝１９は組立て時に水平位置でダクトフレーム２，補強フレーム３，固定フレーム４が見えないように体裁上必要であり、また底面には固定フレーム４と接続するためのネジ穴２３が設けられている。
【００１７】
また、配線用のダクトフレーム２は断面Ｕ字形の部材からなり、外側垂直面には断面多角形状の補強フレーム３が任意の間隔で複数個ネジ又は溶接等により取り付けられている。
【００１８】
補強フレーム３の他端には、固定フレーム４が隣接する補強フレーム３を結ぶようにしてダクトフレーム２と平行にネジ又は溶接等により取り付けられている。固定フレーム４は補強部と固定部から成り、方向性がなく軽量な断面中空円の補強部に板状の固定部が溶接等で取り付いている。固定フレーム４には天板１に設けられたネジ穴２３と見合った位置で接続用穴２４が設けられ、天板１はバネ座金２７，平座金２６を介してネジ２５等により取り付け又は取り外し可能である。支柱２８はダクトフレーム２の裏面にネジ又は溶接等で取り付けられている。
【００１９】
また図２から分るように、外力による捩れや撓み等に最も関係の深い断面係数Ｚは、ダクトフレーム２の断面係数をＺ１  ，固定フレーム４の断面係数をＺ２  とすれば２つの断面係数の和、すなわちＺ＝Ｚ１  ＋２Ｚ２  となる。更に補強フレーム３も接続されるため力学的にも非常に強固な構造となる。また天板１との固定位置間隔Ｍを大きくでき、固定具が軽量でかつ方向に左右されない強い形状にしたので、特にねじりに対する天板１の機械的強度も向上できる。
【００２０】
さらに図３に示すように、ダクトフレーム２が断面Ｕ字形のため配線作業時には天板を外すだけで作業員５０が理想的な姿勢である上方向からの作業が可能となる。
【００２１】
このように本実施例によれば、ダクトフレーム２と補強フレーム３と固定フレーム４を一体構成し、かつ天板１との固定位置間隔Ｍを大きくして締結固定すれば外力による天板の撓みや捩れ等を小さくできるという効果が得られる。またダクトフレーム２の向きがＵ字形状のため配線作業等には作業員５０が上方向から作業可能であり、作業性の向上が計られる。
【００２２】
図４は本発明の第２実施例（請求項３対応）の天板とダクトフレーム部分の分解斜視図、図５は図４の天板固定部の拡大図、図６は図４の組立状態を示す断面図である。
【００２３】
同図に示すように、本実施例の監視机は、主として天板１ａ，ダクトフレーム２ａ，おネジ８，締付具９，連結棒１０，固定具１７，支柱２８とから構成されている。
【００２４】
まず、天板１ａにはダクトフレーム２ａ，おネジ８，締付具９，連結棒１０，固定具１７を埋設するための溝２０などの仕切り空間が設けられている。このような仕切り空間をなす溝２０は組立て時に水平位置でダクトフレーム２ａ等が見えないように体裁上必要であり、両端には固定した溝２１が設けられている。ダクトフレーム２ａは断面Ｕ字形の部材から成り外側垂直面におネジ８が任意の間隔で複数個溶接等により取り付けられている。固定具１７は固定と補強を兼ねた部材のためその形状は方向性がなく軽量にするために断面中空円であり、その奥行方向にはダクトフレーム２ａに設けたおネジ８に見合った位置で図５に示すネジ穴１１が設けられている。
【００２５】
また図５に示すように、連結棒１０は断面円状であり、一端は固定具１７に設けられたネジ穴１１と同サイズのネジ部１２を有し、もう一端には六角形の突起部１３を設けてある。締付具９は一辺にはダクトフレーム２ａに設けたおネジ８と同サイズのめネジ１４を有し、めネジ１４と同軸上とした相対する一辺には連結棒１０が回転可能な大きさの穴１５を有している。ダクトフレーム２ａと固定具１７は締付具９と連結棒１０を介して連結されるが、その構成はダクトフレーム２ａに設けたおネジ８と締付具９のめネジ１４を結合させ、また締付具９の穴１５に連結棒１０を挿入し固定具１７のネジ穴１１と連結させている。
【００２６】
上記したように、おネジ８と連結棒１０は同軸であるため締付具９を回転させることによりおネジ８とめネジ１４に導びかれ固定具１７はスライドする。天板１ａの固定溝２１は固定具１７に密着する形状，サイズであり、更に固定した状態で固定具１７がはずれない様な形状の折り返し部２２を有している。したがって、固定具１７と固定溝２１に隙間によるガタ付きがない固定ができる。
【００２７】
また天板取り付け時は固定具１７を図５の位置にした状態で天板１ａを設置し、締付具９を手で回動することにより固定具１７がスライドし固定溝２１に密着して固定は完了する。天板取り外し時は上記と逆の手順で行う。このように本実施例によると、天板との固定方法が簡単に手動で行えるようになる。
【００２８】
さらに図６から分るように、外力によるねじれやたわみ等に最も関係の深い断面係数Ｚはダクトフレーム２ａの断面係数をＺ３  ，固定具１７の断面係数をＺ４  とすれば、２つの断面係数の和すなわち、Ｚ＝Ｚ３  ＋２Ｚ４  となり、力学的にも強固な構造となる。また天板１ａとの固定位置間隔Ｎを大きくできるため、特にねじりに対する天板１ａの機械的強度も向上できる。ダクトフレーム２ａが断面Ｕ字形状のため配線作業時には作業員が上方向から理想的な姿勢で作業が可能となる。
【００２９】
図７は図４の第２実施例の変形例（請求項３対応）であり、図６の締付具の代りにバネ材や形状記憶合金等を使用した例である。図８は図７の天板固定状態の拡大図である。
【００３０】
同図に示すように、図６の締付具の代りにバネ材や形状記憶合金等を使用した復元部材１６を用いている。この復元部材１６を図８に示すように折り曲げて固定具１７を天板１ａの固定溝２１に押付け密着させ固定する。更に復元部材１６のダクトフレーム２ａの取付位置を固定具１７の中心よりＷだけ高くすることによりダクトフレーム２ａを天板１ａに押し付け固定することができる。形状記憶合金は通常温度で図８のように固定され加熱で図７のように固定から取外すことができる。
【００３１】
上述したように、本実施例によれば、第１実施例の効果に加え、天板とダクトフレームの固定が簡単に行えるようにしたので、取り付け，取り外しの作業性向上が得られる。また、軽量かつ強度を増す固定部が天板と密着することによりガタ付きのない天板の固定が可能であり、更に天板やダクトフレーム等に対する組立て後の向上が図られる。
【００３２】
【発明の効果】
以上説明したように、本発明によると、固定具の形状を中空円柱とすることにより軽量かつ天板の変形を防止することができ、また、締付具や復元部材を用いることにより天板とダクトフレームの取り付け取り外しが容易に行え、かつ天板の変形を防止しダクトフレームと天板の固定を確実に行うことができ、さらに固定具と天板の固定部を密着するようにしたので確実に固定できる。しかも意匠的にもフレキシブルな形状の天板やＣＲＴカバー等が実現できる。
【図面の簡単な説明】
【図１】本発明の第１実施例の斜視図。
【図２】図１の組立状態の断面図。
【図３】図２の配線作業時を説明するための図。
【図４】本発明の第２実施例の斜視図。
【図５】図４の天板固定部の拡大図。
【図６】図４の組立状態の断面図。
【図７】図４の第２実施例の変形例の天板固定部の拡大図。
【図８】図７の天板固定状態の拡大図。
【図９】従来の監視机の斜視図。
【図１０】従来の組立状態の断面図。
【図１１】従来の配線作業を説明するための図。
【図１２】従来の監視机側面図。
【符号の説明】
１，１ａ…天板、１ｂ…多目的天板、１ｃ…前方天板、２，２ａ，２ｂ…ダクトフレーム、３…補強フレーム、４…固定フレーム、５…ＣＲＴカバー、６…本体、７…キーボード、８…おネジ、９…締付具、１０…連結棒、１１…ネジ穴、１２…ネジ部、１３…突起部、１４…めネジ、１５…丸穴、１６…復元部材、１７…固定具、１９，２０…溝、２１…固定溝、２２…折り返し部、２３…ネジ穴、２４…接続穴、２５…ネジ、２６…平座金、２７…バネ座金、２８…支柱、２９…ＣＲＴ、３０…ケーブル、３１…熱回収ダクト、３２…ＣＲＴ覆面カバー、３３…吹出口、３４…中空部、３５…空調ダクト、３６…冷風、３７…温風、３８，４１…パイプ、３９…拡散器、４０…吸引装置、５０…作業員。
【図１】
0003549930.tif 000002
【図２】
0003549930.tif 000003
【図３】
0003549930.tif 000004
【図４】
0003549930.tif 000005
【図５】
0003549930.tif 000006
【図６】
0003549930.tif 000007
【図７】
0003549930.tif 000008
【図８】
0003549930.tif 000009
【図９】
0003549930.tif 000010
【図１０】
0003549930.tif 000011
【図１１】
0003549930.tif 000012
【図１２】
0003549930.tif 000013
【図１３】
0003549930.tif 000014
【図１４】
0003549930.tif 000015